(57)【要約】【課題】ペットボトルのような飲み口の狭い飲料用ケースにおいてティーバッグに収容された茶葉からお茶エキスを抽出後、不要となったティーバッグをペットボトル容器内から容易に取り出すことができるペットボトル用ティーバッグを提供する。【解決手段】茶葉を収納する袋体を透水性で長方形状とし、袋形態を形成するために袋体の周縁部を縫合又は超音波溶着して閉塞し、茶葉を収納できる空間を熱溶着と比較して可及的に拡大形成すると共に、袋体の下端部を先鋭状に形成することで浸漬後の茶葉の膨張による袋体の左右両端部に角部が形成されることを規制し、ペットボトル容器内からペットボトル用ティーバッグを容易に取り出すことができる。【選択図】図１
2020026305.tif 000002
【特許請求の範囲】
【請求項１】
袋体内部に茶葉を収納すると共に、袋体は透水性で長方形の袋体の下端を先鋭状に形成したことを特徴とするペットボトル用ティーバッグ。
【請求項２】
前記袋体の下端を２股状としたことを特徴とする請求項１に記載のペットボトル用ティーバッグ。
【発明の詳細な説明】
【技術分野】
【０００１】
この発明は、ペットボトルで使用するペットボトル用ティーバッグに関する。
【背景技術】
【０００２】
通常家庭で使用される飲み口の広いカップなどではお茶のエキスを抽出し易い十分な内部空間を有する不織袋内に茶葉を収納したティーバッグが使用されているが、ペットボトルのような飲み口の狭い飲料用ケースにおいては従来のような十分な内部空間を有するティーバッグが使用できずに、小袋ティーバッグを使用するしかなく茶葉の収納量が少なく、大きな茶袋を使用すると茶エキスを抽出し、茶葉が膨大した後の茶袋の取出しが困難となっている。従って、十分な茶エキスをペットボトルに充填せんとするとペットボトルの外部でお茶を抽出した後に抽出茶のみをペットボトル内に充填するしかなく不便であった。そのため、ペットボトル内で抽出可能とするために種々の工夫がなされたペットボトル用のティーバッグが考案されている（特許文献１，２，３）。
【０００３】
特許文献１には、ペットボトル用のティーバッグとして袋の幅または筒状態の断面最大径がペットボトルの口部の内径以下とし、そのティーバッグの内部に所定量の茶葉を内包するように袋形状を縦長のスティック状とした構成が開示されている。
【０００４】
また、特許文献２には、ペットボトルに挿入し易く、お茶エキスの抽出がしやすく、さらにお茶エキスの抽出後にペットボトルから容易に取り出せるティーバッグを提供することを目的として、茶葉の収納室を長手方向に沿って一体的に複数段連結して形成し、熱シール部により収納室を長手方向に隣接して隔成してなるペットボトル用ティーバッグの構成について開示されている。
【０００５】
また、特許文献３には、ペットボトル用のティーバッグとして正面視略矩形状のティーバッグの長手方向の両端部を斜めに切断することでティーバッグの長手方向の先鋭状に形成されたいずれかの端部をペットボトルの瓶口に引っ掛けることで使用後の袋体を容易に取り出せる構成について開示されている。
【先行技術文献】
【特許文献】
【０００６】
【特許文献１】特開２００３−２４６３６５号公報
【特許文献２】特開２００７−１９７０１６号公報
【特許文献３】特開２００６−０５２００７号公報
【発明の開示】
【発明が解決しようとする課題】
【０００７】
ところが、かかる従来のペットボトル用ティーバッグは、特許文献１のように縦長のスティック状の袋体とすると取出しが容易となる代わりに所定の分量の茶葉を内包しようとすると袋体の全長が長くなり、さらに、茶葉が水分により膨大した時にペットボトル容器からの取出しが困難となる虞があった。また、特許文献２のように袋体の収納を複数に分割する構成とすると袋体の製造工程において製造が煩雑となる問題があった。また、特許文献３のように袋体の長手方向両端部を先鋭状に切断して袋体を形成すると茶葉の浸漬過程において袋体が水面に浮かび上がり茶葉が湯水と接触しにくくお茶エキスの抽出が効率よくなされない虞があり、さらに、ペットボトルの口部からこの袋体が飛び出す虞があった。
【０００８】
そこで、本発明はかかる問題に着目してなされたものであり、袋体に収容された茶葉からお茶エキスの抽出後、ペットボトル容器内から膨大した茶袋を容易に取り出すことができるペットボトル用ティーバッグを提供することを目的とする。
【課題を解決するための手段】
【０００９】
本発明は、内部に茶葉を収納すると共に、袋体は透水性で長方形状の下端を先鋭状に形成したことを特徴とする。
【００１０】
また、袋体の下端を２股形状としたことを特徴とする。
【発明の効果】
【００１１】
この発明によれば、内部に茶葉を収納すると共に、袋体は透水性で長方形状の下端を先鋭状に形成したため、お茶のエキス抽出後の水分を吸収した茶葉の膨張が袋体の下端部に集中する虞を低減し、ペットボトルの口部から袋体を取り出す際に袋体の下端部に角部が形成されることなく容易に引き出すことができる効果がある。
また、茶葉が下端部に溜まる蓋然性を低減しているため、袋体内部の下端部で茶葉が押圧される虞を低減し茶葉のジャンピング現象を阻害することがなく、茶葉全体から効率よくお茶のエキスを抽出することができる効果がある。
また、袋体の下端部のみを先鋭状に形成することでお茶のエキスの抽出中やペットボトル内部に袋体を収納した状態で飲用する際にペットボトルの口部から袋体が飛び出す蓋然性を低減できる。
【００１２】
また、請求項２にかかる発明によれば、袋体の下端を２股形状としたため、２股の分岐点から下部に進行するに連れて先鋭状に形成されており、袋体に内包した茶葉が水分を吸収して膨張した際にも角部が形成されることなく容易にペットボトルの口部から抜き出せる効果がある。また、袋体下端部の２股に分岐することで分岐点近傍に形成される開口部が狭くなり、２股の先端部にまで茶葉が沈降する虞を低減し、袋体の下端部に茶葉の膨張スペースを形成することがない。従って、袋体下端部が水分を吸収した茶葉によって膨張する虞がなく容易にペットボトルの口部から抜き出せる効果がある。
【図面の簡単な説明】
【００１３】
【図１】本発明の第１実施形態に係るペットボトル用ティーバッグを示す正面図である。
【図２】本発明の第１実施形態に係るペットボトル用ティーバッグを示す右側面図である。
【図３】本発明の第１実施形態に係るペットボトル用ティーバッグの膨出状態を示す右側面図である。
【図４】本発明の第１実施形態に係るペットボトル用ティーバッグの使用状態を示す正面図である。
【図５】本発明の第１実施形態に係るペットボトル用ティーバッグの図４に示すＡ−Ａ断面図である。
【図６】本発明の第２実施形態に係るペットボトル用ティーバッグを示す正面図である。
【図７】本発明の第２実施形態に係るペットボトル用ティーバッグの図６に示すＢ−Ｂ断面図及びＣ−Ｃ断面図である。
【図８】従来のペットボトル用ティーバッグを示す正面図である。
【図９】従来のペットボトル用ティーバッグとペットボトルの口部の干渉を示す平面図である。
【発明を実施するための最良の形態】
【００１４】
この発明の要旨は、内部に茶葉を収納すると共に、袋体は透水性で長方形状の下端を先鋭状に形成し、また、袋体の下端を２股形状としたことにある。
【００１５】
本発明について図１から図９を参照して詳細に説明する。
本発明は、使用済みのペットボトルＰを再利用する際に使用できるペットボトル用ティーバッグＴに関する。
【００１６】
このペットボトル用ティーバッグＴは、図１に示すように、織布や不織布で形成され茶葉Ｌを収納した袋体１０と、ペットボトル用ティーバッグＴをペットボトルＰ内から引き出すための紐体２０で構成されている。
【００１７】
袋体１０は、図１及び図２に示すように、正面視略矩形状で長手方向のいずれか一端部を先鋭状とするための切欠部１１を形成し、他端部には紐体２０を連結して構成されている。
この袋体１０は、周縁部１２の長辺１４及び斜辺１９と上端部１８を縫合又は超音波溶着により閉塞することで袋状に形成しており、図８に示す従来の袋体４０の上下端部４２,４２を熱溶着によって閉塞した場合と比較して袋体１０の茶葉Ｌを収納する空間を可及的に広く形成できる。
【００１８】
また、袋体１０はその幅員をペットボトルＰの口部Ｐ１の内径と略同等に構成しており、袋体１０に内包した茶葉ＬがペットボトルＰ内に収納した水分を吸収して膨張した際にも口部Ｐ１よりも拡大する虞を低減している。
【００１９】
また、切欠部１１は袋体１０の長辺１３，１４の内、いずれか一方の長辺（例えば、長辺１３）の先端部１５を基点として他方の長辺（例えば、長辺１４）の下端部１６に向けて斜辺１９を形成することで正面視略直角三角形状の切欠形状としている。
このように切欠部１１を形成することで茶葉Ｌは、袋体１０の先端部１５まで沈降しにくい状態を生起している。その結果、袋体１０は従来の袋体と比較して茶葉Ｌ全体が湯水と接触し易い状態を生起し、さらに茶葉Ｌのジャンピング現象を阻害しにくく効率的にお茶のエキスを抽出できる。
また、茶葉Ｌが袋体１０の先端部１５まで沈降しにくい状態を生起するため、お茶エキスの抽出後にペットボトルＰから袋体１０を排出する際、従来最も茶葉が集約される袋体１０の先端部１５に茶葉Ｌが集約されることなく袋体１０の下端部に膨出形態を形成しないため、袋体１０の排出作業が容易にできる。
【００２０】
また、袋体１０は上端部１８の正面視略中央に紐体２０を連結している。紐体２０は、綿やポリエステル、ナイロンなどで構成されており、他端部に平面視略矩形状のタブ２１を連結している。タブ２１は、ペットボトルＰの口部Ｐ１の内径よりも長い長辺を有し、茶葉Ｌが水分を吸収して袋体１０が沈降する際に口部Ｐ１の上端部で該タブ２１の長辺が係止してペットボトル用ティーバッグＴ全体がペットボトルＰに収容される蓋然性を可及的に低減している。
さらに、紐体２０及びタブ２１はお茶エキスの抽出後にペットボトルＰから袋体１０を抜き出す際に利用することで、狭開口の口部Ｐ１から容易に袋体１０を引き出すことができる。
【００２１】
また、図４に示すように、袋体１０の上端部１８は正面視略矩形状に構成されており、該上端部１８とペットボトルＰの口部Ｐ１の下部周縁部Ｐ３とが当接し、袋体１０の上方への移動を規制して可及的に茶葉Ｌを湯水に浸漬させることができる。従って、袋体１０の内部に収容された茶葉Ｌは上端部１８の作用により可及的に湯水と接触するように構成されて効率的に茶葉Ｌからお茶のエキスを抽出することができる。
また、上端部１８はペットボトル用ティーバッグＴをペットボトルＰ内に収納した状態で飲用する際にも口部Ｐ１の下部周縁部Ｐ３と当接し、袋体１０がペットボトルＰの外部に排出される虞を低減している。
【００２２】
また、袋体１０は茶葉Ｌを内包しており、袋体１０をペットボトル内の湯水に浸漬することで湯水を茶葉Ｌが吸収し、図２に示す扁平状態から図３に示す拡大状態に膨張する。
従来、図８に示すように、袋体４０を上下端部４２,４２の熱圧着により閉塞して袋状とするティーバッグでは袋体４０の茶葉収容空間Ｓ３内で湯水を吸収した茶葉Ｌが膨張し、茶葉収容空間Ｓ３が略楕円形状に形成されるが、袋体４０の上下端部４２は茶葉Ｌを内包できる空間を形成していないため、元の扁平状態を維持しようとする。その結果、図９に示すように、ペットボトルＰから袋体４０を取り出す際に該上下端部４２,４２の左右両角部４３,４３が口部Ｐ１と干渉して袋体４０を取り出す阻害要因となる。
しかし、本発明の袋体１０は先端部１５を先鋭状に構成しているため、袋体１０に内包した茶葉Ｌが膨張したとしてもペットボトルＰの口部Ｐ１に干渉することがない（図４,５参照）。すなわち、袋体１０の内部で膨大した茶葉Ｌにより形成される断面視略楕円形状の長径が口部Ｐ１の内径よりも膨大することがなく、さらに、茶葉Ｌが膨大して袋体１０の下端部に角部が形成されることがないため、容易に口部Ｐ１からお茶エキス抽出後の袋体１０を取り出すことができる。
【００２３】
このようにペットボトル用ティーバッグＴを構成することで、袋体１０に収容された茶葉Ｌからお茶エキスの抽出後、ペットボトルＰの口部Ｐ１から袋体１０を容易に取り出すことができるペットボトル用ティーバッグＴを提供できる。
【００２４】
（第２実施形態）
ペットボトル用ティーバッグＴの第２実施形態として、図６及び図７に示すように、袋体５０は幅方向略中央に切欠頂点部１７を設けた正面視略二等辺三角形状とする切欠部３０を構成している。なお、第１実施形態と同様の構成については同一の符号を付し、その説明については省略する。
【００２５】
袋体５０は下端先鋭部の形状を切欠部３０の略二等辺三角形状とすることで、切欠頂点部１７から袋体５０の左右先端部３２，３３にかけて茶葉収納空間Ｓを２股に分岐した茶葉収納空間Ｓ１，Ｓ２を形成できる。この茶葉収納空間Ｓ１，Ｓ２は、切欠頂点部１７を中心として茶葉収納空間Ｓを２つに分岐しており、この分岐構造により茶葉収納空間Ｓ１，Ｓ２への茶葉の侵入を阻害する構成としている。
また、茶葉収納空間Ｓ１,Ｓ２は、袋体５０の切欠頂点部１７近傍の高さの長辺１３,１４に変曲点５１,５１を形成し、袋体５０の左右先端部３２,３３に進行するに連れて袋体５０の内側に傾斜させる構成とすることで内部空間を略逆円錐状の先鋭形態としている。
また、茶葉収納空間Ｓ１，Ｓ２は第１実施形態と比較して該空間Ｓ１，Ｓ２への進入口の幅員を袋体５０の幅員の約半分以下に構成しており、茶葉Ｌが袋体５０の下部、すなわち、左右先端部３２,３３まで沈降しにくい状態を生起している。
なお、本第２実施形態では袋体５０を構成する長辺１３，１４に変曲点５１，５１を設け、この変曲点５１，５１から袋体５０の下部に進行するに連れて袋体５０の内側に傾斜した先鋭形態を形成する構成としているが、本第２実施形態はこの先鋭形態に限定されることなく長辺１３，１４を左右先端部３２，３３の長さまで延長し、その先端部と切欠頂点部１７とを直線で結んで２股の先鋭形態としてもよい。
【００２６】
このように切欠部３０が構成されることで、茶葉Ｌは切欠部３０の切欠頂点部１７から２つの茶葉収納空間Ｓ１，Ｓ２に振り分けられ、また、切欠頂点部１７よりも下部方向に進行するにつれて袋体５０を形成する内径が狭くなる先鋭状に構成したことから、茶葉Ｌが袋体５０の左右先端部３２,３３まで沈降することを阻害し、内包した茶葉Ｌが水分を吸収して膨張したとしても袋体５０の長辺１３,１４よりも左右外側に凸形状となる角部を形成することがなく、ペットボトルＰの口部Ｐ１から容易に取り出すことが出来る構成としている（図６，７参照）。
【００２７】
本発明のペットボトル用ティーバッグＴは上記のように構成されており、このように構成されたペットボトル用ティーバッグＴを利用してペットボトルＰ内にお茶を生成する方法について上記第１実施形態における袋体１０を用いて説明する。
【００２８】
まず、利用者は使用済みのペットボトルＰのキャップＰ２を取外し、ペットボトルＰの口部Ｐ１から湯又は水を注入し、本発明に係るペットボトル用ティーバッグＴの先端部１５、すなわち、切欠部１１を下向きにしてペットボトルＰの口部Ｐ１からペットボトル内部に侵入させ茶葉Ｌ全体を浸漬させる。なお、袋体１０に内包した茶葉Ｌは乾燥して空気を含有した状態であるため、水に浮き易い状態ではあるが、袋体１０の上端部の形状を正面視略矩形状の構成とすることで、上端部１８の左右両角部がペットボトルＰの口部Ｐ１の下端縁部に当接して袋体１０が浮上しようとする状態を規制し、確実に茶葉Ｌ全体を浸漬することができる。
【００２９】
次に、利用者は茶葉Ｌからお茶のエキスが抽出されるまで袋体１０の上端部１８の略中央に連結した紐体２０をペットボトルＰの口部Ｐ１の上端部にキャップＰ２を締めることで係止し、ペットボトルＰの外部に紐体２０の他端部に連結したタブ２１を設けることができる。
【００３０】
次に、利用者はお茶のエキス抽出後に再びキャップＰ２を取外し、タブ２１をつかみ、紐体２０を上方に引き上げることでペットボトルＰの口部Ｐ１から袋体１０を上方に引き上げることができる。その際、茶葉Ｌは袋体１０の高さ方向略中央部から先端部１５の間に位置しており、袋体１０の上端部近傍には茶葉Ｌが存在しない。従って、織布や不織布で構成した袋体１０の上端部１８は容易にその形態を変形でき、口部Ｐ１に容易に進入できる。また、袋体１０は下部形状を先鋭状にすることで、袋体１０の下端部に茶葉Ｌが溜まることを規制でき、さらに、袋体１０の先端部１５の近傍に角部を形成することがないため容易にペットボトルＰ内から取り出すことができる。
【００３１】
なお、本発明は上述した実施形態に限られず、上述した実施形態の中で開示した各構成を相互に置換したり組合せを変更したりした構成、公知発明並びに上述した実施形態の中で開示した各構成を相互に置換したり組合せを変更したりした構成、等も含まれる。また、本発明の技術的範囲は上述した実施形態に限定されず、特許請求の範囲に記載された事項とその均等物まで及ぶものである。
【符号の説明】
【００３２】
Ｔ  ペットボトル用ティーバッグ
Ｌ  茶葉
Ｐ  ペットボトル
Ｐ１  口部
Ｐ２  キャップ
Ｐ３  下部周縁部
Ｓ,Ｓ１,Ｓ２,Ｓ３  茶葉収納空間
１０  袋体
１１  切欠部
１２  周縁部
１３，１４  長辺
１５  先端部
１６  下端部
１７  切欠頂点部
１８  上端部
１９  斜辺
２０  紐体
２１  タブ
３０  切欠部
３２,３３  先端部
４０  袋体
４２  上下端部
４３  角部
５０  袋体
５１  変曲点
【図１】
2020026305.tif 000003
【図２】
2020026305.tif 000004
【図３】
2020026305.tif 000005
【図４】
2020026305.tif 000006
【図５】
2020026305.tif 000007
【図６】
2020026305.tif 000008
【図７】
2020026305.tif 000009
【図８】
2020026305.tif 000010
【図９】
2020026305.tif 000011